(57)【要約】【課題】  力の入れ過ぎや力不足による取付不良を起こさず、専用の締付工具を使用するまでもなく、通常工具で誰でも簡単且つ確実に同軸ケーブルへ装着できるようにする。【解決手段】  同軸ケーブル（１１）の先端から、パイプ状のフェルール（２）を絶縁体（１３）とシールド（１４）の間に挿し込み、フェルール（２）の上から締付具（４）でシース（１５）を締め付けることにより固定される同軸ケーブル用コネクタプラグ（１）において、締付具（４）が、ケーブル先端（１１ａ）に外装されるキャップ（５）と、その周壁に設けられたスリット（５ａ）に挿通されてシース（１５）をその長手方向に対して直交する方向に挟みつける一対のプッシャーブレード（６）を備え、プッシャーブレード（６）には、キャップ内面側のスリット開口端縁（５ｂ）に係止されてブレード（６）を抜脱不能に固定する締付用係止爪（９）を形成した。【選択図】図１
2008269790.tif 000002
【特許請求の範囲】
【請求項１】
中心側から中心導体と、絶縁体と、外部導体と、これらを保護するシースが同心的に配されてなる同軸ケーブルの先端から、パイプ状のフェルールをシールド内に挿し込み、そのフェルールの上から締付具でシースを締め付けることにより固定される同軸ケーブル用コネクタプラグにおいて、
前記締付具が、ケーブル先端に外装されるキャップと、その周壁に設けられたスリットに挿通されてシースをその長手方向に対して直交する方向に挟みつける一対のプッシャーブレードを備え、
前記プッシャーブレードには、締付位置まで押し込まれたときに、キャップ内面側のスリット開口端縁に係止されてブレードを抜脱不能に固定する締付用係止爪が形成されたことを特徴とする同軸ケーブル用コネクタプラグ。
【請求項２】
前記スリットに挿通された一対のプッシャーブレードが、その間にケーブルを挿脱可能な非締付位置にあるとき、キャップ内面側のスリット開口端縁に係止されてブレードの抜け出し方向の動きを阻止する抜出防止用係止爪が各プッシャーブレードに形成されてなる請求項１記載の同軸ケーブル用コネクタプラグ。
【請求項３】
前記キャップが円筒状に形成され、プッシャーブレードの外周部に、締付位置まで押し込まれたときにキャップ外周面と面一になる円弧面が形成された請求項１又は２記載の同軸ケーブル用コネクタプラグ。
【請求項４】
前記プッシャーブレードの外周部に、工具の力を受ける押圧部が突出形成されてなる請求項１〜３いずれか記載の同軸ケーブル用コネクタプラグ。
【請求項５】
前記プッシャーブレードの先端が、同軸ケーブルを挟み付ける凹面状に形成されてなる請求項１〜４いずれか記載の同軸ケーブル用コネクタプラグ。
【発明の詳細な説明】
【技術分野】
【０００１】
本発明は、同軸ケーブルを通信放送機械など各種の高周波機器に設けられたレセプタクルに接続するためにその先端に取り付けられる同軸ケーブル用コネクタプラグに関する。
【背景技術】
【０００２】
テレビ放送やデータ通信などに用いられる高周波信号を伝達するために用いられる同軸ケーブルを高周波機器に接続するために、Ｆ型コネクタなどの同軸ケーブル用コネクタが用いられており、同軸ケーブル先端に取り付けられたコネクタプラグを、高周波機器側に形成されたレセプタクルに挿し込んで固定するようになっている。
【０００３】
図４（ａ）〜（ｆ）は、一般家庭の屋内配線で使用されるこのような従来の同軸ケーブル用コネクタプラグを示す説明図である。
同軸ケーブル１１は、図４（ａ）に示すように、その中心側から中心導体１２と、絶縁体１３と、シールドとなる編組線でなる外部導体１４と、これらを保護するシース１５が同心的に配されている。
コネクタプラグ２１は、図４（ｂ）に示すように、同軸ケーブル１１の先端から絶縁体１３と外部導体１４の間に挿し込まれるパイプ状のフェルール２２に接続ナット２３が回転自在に取り付けられ、そのフェルール２２を絶縁体１３と外部導体１４の間に挿し込んだ状態でフェルール２２の上からシース１５を締め付けるカシメ用リング２４からなる。
【０００４】
そして、このコネクタプラグ２１を同軸ケーブル１１の先端１１ａに取り付けるときは、図４（ａ）に示すように、中心導体１２と外部導体を２４を所定長さ露出させた状態で、カシメ用リング２４を入れ、次いで、図４（ｂ）〜（ｃ）に示すように、パイプ状のフェルール２２を絶縁体１３と外部導体１４の間にしっかりと挿し込み、図４（ｃ）に示すように、カシメ用リング２４をフェルール２２の上に位置させた状態で、図４（ｄ）〜（ｆ）に示すように、ペンチなどを用いてカシメ用リング２４を変形させれば取り付けが完了する。
このように装着されたコネクタプラグ２１を使用するときは、高周波機器に形成されたレセプタクルに挿し込んで、レセプタクルの外周部に形成された雄ネジに対し、接続ナット２３を螺合させて結合させればよい。
【非特許文献１】サン電子株式会社、送受信のノウハウ、同軸コネクタの加工、［online］、［平成１９年４月９日検索］、インターネット＜ URL ：http://www.sun-ele.co.jp/explain/construct/f-con.html＞
【０００５】
ところで、このようにカシメ用リング２４を変形させて固定するタイプは、最初にカシメ用リング２４を入れ忘れてフェルール２２を挿し込んでしまうと、簡単にはフェルールが抜けないため、シース１５を切開してフェルール２２を抜き取った後、同軸ケーブル１１の先端１１ａを切断して再加工しなければならいという面倒があった。
また、カシメ用リング２４を変形さフェルール際に、力を入れ過ぎてカシメ用リング２４に傷を付けると、そこから亀裂が入って抜け易くなり、逆に、力が足りない場合は締め付けが緩く外れ易いなどの取付不良を起こしやすく信頼性に欠けるという問題があった。
一方、放送局の局内配線などに使用されるプロユースの信頼性の高いコネクタプラグも存在するが、高価な専用の締付工具を必要とするだけでなく、複雑で部品点数が多く高価であるので、一般家庭用としては使用し難い。
【発明の開示】
【発明が解決しようとする課題】
【０００６】
そこで本発明は、力の入れ過ぎや力不足による取付不良を起こさず、専用の締付工具を使用するまでもなく、ペンチなどの通常工具で誰でも簡単且つ確実に同軸ケーブルへ装着することができるようにすることを技術的課題としている。
【課題を解決するための手段】
【０００７】
この課題を解決するために、本発明は、中心側から中心導体と、絶縁体と、外部導体と、これらを保護するシースが同心的に配されてなる同軸ケーブルの先端から、パイプ状のフェルールをシールド内に挿し込み、そのフェルールの上から締付具でシースを締め付けることにより固定される同軸ケーブル用コネクタプラグにおいて、前記締付具が、ケーブル先端に外装されるキャップと、その周壁に設けられたスリットに挿通されてシースをその長手方向に対して直交する方向に挟みつける一対のプッシャーブレードを備え、前記プッシャーブレードには、キャップ内面側のスリット開口端縁に係止されてブレードを抜脱不能に固定する締付用係止爪が形成されたことを特徴としている。
【発明の効果】
【０００８】
本発明に係る同軸ケーブル用コネクタプラグによれば、先端加工した同軸ケーブルにフェルールを挿し込んでキャップを外装させた状態で、プッシャーブレードをペンチなどの通常工具で強く挟みつけて締付位置まで押し込むと、締付用係止爪がキャップ内面側のスリット開口端縁に係止されてブレードが抜脱不能に固定され、これによって、ケーブルが挟持される。
このとき、カシメリングを使わないので、カシメリングを同軸ケーブルに挿通し忘れることによる再加工の問題を生ずることもない。
【発明を実施するための最良の形態】
【０００９】
本例では、力の入れ過ぎや力不足による取付不良を起こさず、専用の締付工具を使用するまでもなく、ペンチなどの通常工具で誰でも簡単且つ確実に同軸ケーブルへ装着することができるように、中心側から中心導体と、絶縁体と、外部導体と、これらを保護するシースが同心的に配されてなる同軸ケーブルの先端から、パイプ状のフェルールをシールド内に挿し込み、そのフェルールの上から締付具でシースを締め付けることにより固定される同軸ケーブル用コネクタプラグにおいて、前記締付具が、ケーブル先端に外装されるキャップと、その周壁に設けられたスリットに挿通されてシースをその長手方向に対して直交する方向に挟みつける一対のプッシャーブレードを備え、前記プッシャーブレードには、キャップ内面側のスリット開口端縁に係止されてブレードを抜脱不能に固定する締付用係止爪を形成した。
【００１０】
以下本発明を図面に基づいて説明する。
図１は本発明に係る同軸ケーブル用コネクタプラグを示す説明図、図２はその組立手順を示す側面図、図３はその外観図である。
【実施例１】
【００１１】
本例の同軸ケーブル用コネクタプラグ１は、同軸ケーブル１１を通信放送機械など各種の高周波機器に設けられたレセプタクルに接続するために、その先端に取り付けられて用いられる。
同軸ケーブル１１は、その中心側から中心導体１２と、絶縁体１３と、シールドとなる編組線でなる外部導体１４と、これらを保護するシース１５が同心的に配されている。
コネクタプラグ１は、同軸ケーブル１１の先端から絶縁体１３と外部導体１４の間に挿し込まれるパイプ状のフェルール２に接続ナット３が回転自在に取り付けられ、そのフェルール２を絶縁体１３と外部導体１４の間に挿し込んだ状態でフェルール２の上からシース１５を締め付ける締付具４からなる。
【００１２】
締付具４は、ケーブル先端１１ａに外装される略円筒状のアルミダイキャスト製キャップ５と、その周壁に設けられたスリット５ａに挿通されてシース１５をその長手方向に対して直交する方向に挟みつけるアルミダイキャスト製の一対のプッシャーブレード６を備えている。
プッシャーブレード６は、ブレード本体７と、そのブレード本体７に対して表裏両面側及び外周側に突出形成されたガイド８からなる。
【００１３】
ブレード本体７の外周部は、締付位置まで押し込まれたときにキャップ外周面と面一になる円弧面７ａに形成され、その先端には、同軸ケーブル１１を挟み付ける凹面７ｂが形成されてなる
そして、ガイド８は、ブレード本体７の外周部から突出形成されている上端部８ａが工具の力を受ける押圧部となり、その表裏両面側には、ブレード６が締付位置まで押し込まれたときに、キャップ内面側のスリット開口端縁５ｂに係止されてブレード６を抜脱不能に固定する締付用係止爪９と、ケーブル１１を挿脱可能な非締付位置にあるとき、キャップ内面側のスリット開口端縁５ｂに係止されてブレードの抜け出し方向の動きを阻止する抜出防止用係止爪１０が形成されている。
なお、各係止爪９及び１０は、ブレード６の差込方向反対側に向かって徐々に高くなる楔形に形成されている。
【００１４】
以上が本発明の一構成例であって、次にその作用について説明する。
まず、コネクタプラグ１のキャップ５のスリット５ａにプッシャーブレード６，６を挿入し、図２（ａ）及び図３（ａ）に示すように、抜出防止用係止爪１０がスリット開口端縁５ｂに係止される位置まで押し込んでおく。
これにより、未使用状態のまま、プッシャーブレード６，６がスリット５ａから抜け出ることがなく、ブレード６の紛失を防止できる。
また、ある程度の力を入れなければ、ブレード６を押し込むこともできないので、未使用状態のままブレード６が締付位置まで押し込まれることもない。
【００１５】
次いで、同軸ケーブル１１の先端に装着する際は、図２（ａ）に示すように、同軸ケｓーブル１１の中心導体１２と外部導体１４を所定長さ露出さフェルール先端加工を行い、図２（ｂ）（ｃ）及び図３（ａ）に示すように、パイプ状のフェルール２２を絶縁体１３と外部導体１４の間にしっかりと挿し込む。
この状態で、図２（ｄ）（ｅ）及び図３（ｂ）に示すように、双方のプッシャーブレード６のガイド上端部８ａをペンチなどで挟みつけ、ブレード本体７の円弧面７ａがキャップ外周面と面一になる締付位置まで押し込むと、締付用係止爪９がキャップ内面側のスリット開口端縁５ｂに係止されてブレード６が抜脱不能に固定されると同時に、ブレード先端の凹面７ｂが同軸ケーブル１１に押し当てられて、同軸ケーブル１１はフェルール２の上から二つのブレード６に強固に挟まれ、コネクタプラグ１を確実に取り付けることができる。
【００１６】
このように、本例によれば、先端加工された同軸ケーブル１１にフェルール２を挿し込んで、ペンチなどの通常工具を用いてプッシャーブレード６、６を押し込むだけで、カシメリングで固定する場合に比して十分強固に、同軸ケーブル１１の先端にコネクタプラグ１を確実に取り付けることができ、専用の締付工具を使用する必要がなく、また、力の入れ過ぎや力不足による取付不良を起こすこともない。
【産業上の利用可能性】
【００１７】
本発明は、同軸ケーブルを通信放送機械など各種の高周波機器に設けられたレセプタクルに接続するために、その先端に取り付けられる同軸ケーブル用コネクタプラグの用途に適用できる。
【図面の簡単な説明】
【００１８】
【図１】本発明に係る同軸ケーブル用コネクタプラグを示す説明図。
【図２】その組立手順を示す説明図。
【図３】その外観図。
【図４】従来の同軸ケーブル用コネクタプラグの組立手順を示す説明図。
【符号の説明】
【００１９】
１    同軸ケーブル用コネクタプラグ
２    フェルール
３    接続ナット
４    締付具
５    キャップ
５ａ  スリット
５ｂ  スリット開口端縁
６    プッシャーブレード
７    ブレード本体
９    締付用係止爪
１０  抜出防止用係止爪
１１  同軸ケーブル
１２  中心導体
１３  絶縁体
１４  外部導体
１５  シース
【図１】
2008269790.tif 000003
【図２】
2008269790.tif 000004
【図３】
2008269790.tif 000005
【図４】
2008269790.tif 000006